(57)【要約】【課題】  指笛に、単なる発音機能やウグイス鳥等の鳴き声の模擬機能のほかに、ドレミ調の音程・音階を発生する機能を持たせる。【解決手段】  指笛に音程・音階の発生・調整機能を持たせるために、唄口の近傍に、加工精度の高い角度と面をもつように特別に調整されたリード及びブレード（唄口の刃）を具備し、さらに、唄口近傍にスリット又は複数の穴を設置し、空気の流れ方向と空気量比を調整できる機能を実現する。【選択図】図１
2013127590.tif 000002
【特許請求の範囲】
【請求項１】
開口端と閉口端のある円筒形状物体に、唄口、リード、ブレード、音程調整用穴を備えることを特徴とするドレミ調指笛。
【請求項２】
前記のブレードの近傍にスリット又は複数の穴のあることを特徴とする前記請求項１のドレミ調指笛。
【請求項３】
前記のスリット又は複数の穴を指で押さえ順次スライドすることにより、種々の音程を発声・変更でき、音階の発生を可能とすることを特徴とする前記請求項１のドレミ調指笛。
【請求項４】
指笛に音程・音階の発生・調整機能を持たせるために、唄口の近傍に特別に調整されたリード、ブレードを具備しその近傍にスリットまたは複数の穴を備え、指でスライドすることにより、空気の流れ方向と空気量比を調整することを特徴とする前記請求項１のドレミ調指笛。
【請求項５】
上記指笛は、音階を片手で発生できるので、上記指笛を複数同時に用いることにより、複数の音階及び和音を発生できることを特徴とする前記請求項１のドレミ調指笛。
【発明の詳細な説明】
【技術分野】
【０００１】  本発明は、指笛に関するものである。
【背景技術】
【０００２】  指笛には、沖縄指笛、ちんぶく竹の指笛が提案されている。沖縄指笛は、リード付きの笛の機能をもつ指笛であり、沖縄民謡用のお囃子楽器である。ちんぶく竹の指笛は、指笛を模した竹笛であるが、発生される音は、単調である。両者とも、音程及び音階を発生調整できる機能はない。【０００３】  従来の篠笛、横笛では、唄口近傍で音を発生させ、この音を原音源として用いるものであり、音程変更用の調整穴は、原音源に影響を与えないように、一定の距離、長さを離して開けられている。調整穴を一定の距離、長さ離して開けなければ、唄口近傍の音程が歪む。【０００４】  また、つぼ状楽器として分類されている「オカリナ」では、その音程（波長）は、複雑な形状をした楽器全体の体積に対する開口部の大きさにより決まるものとされる。【０００５】  さらに、雅楽において重要な和楽器とされている篳篥（ひちりき）がある。篳篥本体の長さは約１８センチ。篳篥本体に約６ｃｍのリード部を差し込み笛を構成する。表側に７つ、裏側に２つ合計９つの指穴があり、唄口に葦（あし）で作った簧（した）と呼ばれるリードを差し込んである縦笛の仲間である。リードの構造上、種々の音程が発生できるが、鳴らすための学習、技術および適当な肺活量が必要となる。
【先行技術文献】
【特許文献】
【０００６】
【特許文献１】実用新案登録第３１２５０４２号
【特許文献２】特願２０１１−２２７３７１号
【非特許文献】
【０００７】
【非特許文献１】ｈｔｔｐ：／／ｗｗｗ．ｗａｔｃｈｃｌｉｐ．ｏｒｇ／ｖｉｄｅｏ／ｐＱＢｈ５ｍ８ＵＬ５Ｑ／．ｈｔｍｌ  製作者上原敏氏によるちんぶく竹の指笛の吹き方。
【非特許文献２】ｈｔｔｐ：／／ｊａ．ｗｉｋｉｐｅｄｉａ．ｏｒｇ／ｗｉｋｉ／％Ｅ３％８２％ＡＡ％Ｅ３％８２％ＡＢ％Ｅ３％８３％ＡＡ％Ｅ３％８３％８Ａ  オカリナの説明。
【非特許文献３】ｈｔｔｐ：／／ｇａｇａｋｕ．ｏｋｕｎｏｈｏｓｏｍｉｃｈｉ．ｎｅｔ／ｈｉｃｈｉｒｉｋｉ＿ｐａｇｅ．ｈｔｍ  篳篥（ひちりき）の説明。
【発明の概要】
【発明が解決しようとする課題】
【０００８】  すでに提案されている沖縄指笛は、笛の一種であるが、音程の発生に制限がある。ちんぶく竹の指笛は、穴１つの単純機構であり、単振動音を発生する笛である。しかしながら、これらは唄口の刃にあたる部分がある形状に固定されており特別の音程変更部がないので、音程の変更が不可能であるという課題がある。本特許申請内容は、音程及び音階を、複雑な電子回路の力を借りずに、発生・調整できる機能をもつ指笛の実現に関するものである。
【課題を解決するための手段】
【０００９】  上記の課題を解決するために、提案物は、図１、２及び３のように、唄口に、音程の発生のために特別に調整された形状のリード及びブレード（唄口の刃）をもち、空気の流れ方向を調整して、異なった音程を発生できることを特徴とするドレミ調竹笛である。また、ブレード（唄口の刃）の近傍にスリットまたは複数の穴をもたせ、リード、ブレードで発生される空気流を、スリット上を指でスライドすることにより音程及び音階を発生・加工・調整できる機能を持たせる試みである。音階発生時の周波数帯域の過不足は、笛部形状、リードの形状を調整して、ブレードにあたる空気量比を調整することにより実現できる。このように、リード及びブレード（唄口の刃）形状は、指笛の性能に大きく影響する。さらに、吹きこむ空気の流れをスムーズにするため、両者の空気流に面する部分は、十分精度の高い平滑さを保持することが不可欠である。【００１０】  発音の原理は、ベルヌーイの定理（速度エネルギー、圧力エネルギーと位置のエネルギーの総和は一定）の関係より説明できる。図４において、１４は、空気流１を示し、ブレードで１５の空気流２と１６の空気流３とに分流する。空気流２の圧力Ｐ２，速度Ｖ２、空気流３のそれらをＰ３，Ｖ３とすると、Ｖ２＞Ｖ３の時、Ｐ２＜Ｐ３となり、空気流３は空気流２に引き込まれる。エネルギーの総和は一定とすると、Ｖ２は弱められ、空気流３は空気流２から、もとの空気流３に戻ろうとする。この現象を繰り返すと、単振動現象が起こり、音波が発生する。これが空中を伝播すると、ピーという音になる。ブレードの形状を変え吹きこむ空気の方向を変更すると、Ｐ２，Ｖ２、Ｐ３，Ｖ３は、それぞれ、別の値をとり、単振動の周波数は変化する。この物理現象を応用すれば、発生する音の周波数を変更できる。唄口に入る空気量と管の外に出る空気量の差が少なければ、周波数は低く、音も小さくなる。両空気量を調整して、異なる周波数の音を発生させるためには、特定形状のブレードを持ち、リードの形状を調整してブレードにあたる空気流の方向を調整すればよい。【００１１】  図１上の６は、発生音の歪み補正のための調整用穴であり、図１上の７の閉口端に適当な小穴を開けてもよい。【００１２】  本提案のドレミ調指笛は、特殊な形状関係を満足するリード及びブレードを準備し、唄口から吹きこんだ空気流を２つの空気流に分離し、これらの２つの空気量比を制御することにより音程及び音階の発生の調整が可能である。それ故、空気量比調整用スリットは、一種の可変型変調器であると考えられる。【００１３】  本提案では、音程発生部と音程調整部が隣接しており、［０００３］で説明した笛の発音原理との違いがこの点にもあると考えられる。【００１４】  本提案法では、その音程（波長）は、精密に加工された特殊な形状関係を満足するリード、ブレード及び唄口から入り２つの空気流に分離された空気の流量比により決まるものであり、オカリナと比較した場合、異なったものと解釈される。【００１５】  ［０００５］の篳篥（ひちりき）は、本体部とリード部のみで笛部を構成しているので、演奏するために、尺八と同じように事前練習が必要となる。提案笛は、本体部とリード、及びブレード部により笛部を���成しているので、誰でも特別に練習することなく、肺活量の大小にかかわらず楽に鳴らすことができる特徴がある。
【発明の効果】
【００１６】    円筒形物体の一方の唄口を開口端、他方を閉口端とし、特定形状のブレード（唄口の刃）と唄口近傍にスリットまたは複数の穴を備え、音程及び音階を発生・調整できる。また、カッコー鳥等の鳴き声を、さらに、種々の小鳥の鳴き声をも模擬できる。また、ブレード部に幅を持たせ、大きな音が容易に出ることを特徴とする。
本提案の笛では、最低周波数音は、スリット又は複数の穴を全て閉じた場合に、最高周波数音は、スリット又は複数の穴を全開した場合に発せられる。【００１７】  従来の篠笛、横笛との違いは、［０００３］でも説明したように、予め発生させた独立した原音を長さ、距離で決まる定在波で音程を決定しており、必然的に笛の長さが長くなるが、ここでの提案笛は、リード、ブレード、スリットの適当な組み合わせにより音程を発生させるもので、笛の長さが短くて済み、発音原理が異なっている。
【図面の簡単な説明】
【００１８】
【図１】上、中：本発明の実施例に係る指笛本体を示す正面図、側面図である。図１上の５は、音程・音階調整用スリットを示す。図１の下の９は、音程・音階調整用複数穴の例を示す。
【図２】本発明の実施例に係る笛部分のリードの形状、ブレード形状と、相対的な位置関係を示す断面図である。
【図３】本発明の実施例に係る空気流の流れ、空気流１，２及び３の流れ方向、位置関係を示す断面図である。
【図４】異なる周波数の音を発生するメカニズム及び指笛の発音原理を説明する図である。
【発明を実施するための形態】
【００１９】  以下、本発明の実施の形態について説明する。提案笛は、短い円筒物に、唄口、ブレード、音程調整用穴を具備し指笛を構成し、音程調整用スリットまたは複数の穴から出る空気量の流れの調整により、小鳥の鳴き声、さえずりの模擬器具や楽器として使用できるものである。
【００２０】  本提案では、その音程（波長）は、特殊な形状関係を満足するリード及びブレード及び唄口から入り分離された空気の流量比により決まるものである。図３において、リード部から入った空気流１が空気流２と空気流３に分割され、空気流２は、管の外側へ、空気流３は、管の内側にスムーズに流れるように、図２に示すＡＢ（リード唄口側斜面、傾き角β），ＣＤ（ブレード側斜面、傾き角α）は、同一平面上にあることが望ましい。
【００２１】  ドレミ調指笛では、音程調整用スリットまたは複数の穴から出る空気量の流量比の調整は、指一本で操作できるので、片手で演奏可能であり、両手を使用する上記の「オカリナ」演奏の場合とは異なっている。
【実施例１】
【００２２】  携帯型の指笛でどこでも自由に持ち運びができる。また、片手の一本の指で、スリット上を押さえスライドさせることにより、管内より管外へ出る空気量を調整して、異なった音程を生成し、簡単な演奏を楽しむことができる。さらに、本体は小さく、首にでも掛けられ、また、ブレードを広くしてあり、大きな発生音が期待できるので、防犯笛機能付きペンダントとしても使用できる。
寸法の一例を以下に示す。
１．笛本体：長さ１００ｍｍ、内径８ｍｍ程度、外形１３ｍｍ程度。
２．ブレードの角度：α＝約１０°程度。
３．発生音歪補正付音程・音階調整用スリット：横２３ｍｍ、縦１．５−２．０ｍｍ        、内径４ｍｍ程度の穴。
４．リード：大きさ、長さ１２ｍｍ  直径８ｍｍ、スロープ  β＝約１０°程度。
逆スロープ  γ＝４５°程度。
上記の寸法を用いて、竹を素材とし、リードを木として用いた実験では、チューナで測定して、ＥからＥまで（即ち、ＥＦＧＡＢＣＤＥ  ミファソラシドレミ）の約１オクターブの音程を発生できた。但し、Ｃ  は、４４０Ｈｚであった。更に小さい指笛も大きい指笛も製作可能である。その場合には、音程・音階を変更できる。小さい細い指笛では高音程、大きい太い指笛では、低い音程が得られる。上記の寸法は、指笛本体材料が竹、リードのそれが木の場合の例としての参考値である。円筒形状物体の材料は、竹に限らず、木、鹿の角、プラスチック等が応用できる。これらの応用により、種々の音色が楽しめる指笛である。更に、指笛本体の内径及び外形、笛部形状（ブレード角度、リードの形状、角度）を調整することにより音の高低、音階を調整できる。
【産業上の利用の可能性】
【００２３】  本発明は、笛を鳴らしたり、曲を演奏したりするのが容易であり、横笛、ケーナ等の演奏に必要な事前の学習・訓練を必要としない。誰でも、ただ吹くだけで音を発生でき、指のスライド操作によりドレミ調の楽器として使用できるので、小学生、中学生用の音楽演奏の簡単で手軽な携帯用の楽器として活用できる。また、カッコウ鳥等のシュミレータとしても、更に、唄口から空気の量を多く入れれば大きな音を発するので、防犯笛としての機能をも備えた、ペンダントタイプの多目的型指笛又は付加価値を持たせた指笛として使用できる。
【符号の説明】
【００２４】１．笛本体
２．唄口（開口端）
３．ブレード
４．笛部
５．音程調整部、スリット
６．音程調整部、歪み調整
７．閉口端
８．リード部
９．音程調整部、複数の穴
１０．リード部（唄口側、スロープの角度：β）
１１．リード部（スリット側、逆スロープの角度：γ）
１２．リード部（１０，１１の境界、隅角）
１３．ブレード部（ブレードの角度：α）
１４．空気流１
１５．空気流２
１６．空気流３
【図１】
2013127590.tif 000003
【図２】
2013127590.tif 000004
【図３】
2013127590.tif 000005
【図４】
2013127590.tif 000006